(57)【要約】【課題】長さ測定による作業効率の低下を抑制することができる電池パックを提供する。【解決手段】電動工具に装着される電池パック１において、電動工具への装着状態における外面の長手方向に沿って長さ測定用の目盛り表示２０，３０が設けられている。また、目盛り表示２０，３０は、前記外面に形成される溝４０に設けられている【選択図】図６
2017147028.tif 000002
【特許請求の範囲】
【請求項１】
電動工具に装着される電池パックにおいて、
電動工具への装着状態における外面に長さ測定用の目盛り表示が設けられていることを特徴とする電池パック。
【請求項２】
前記目盛り表示は、前記電池パックの長手方向に沿って設けられていることを特徴とする請求項１に記載の電池パック。
【請求項３】
前記目盛り表示は、前記外面に形成される溝に設けられていることを特徴とする請求項１又は２に記載の電池パック。
【請求項４】
前記溝には前記目盛り表示の測定基準となる当接面が設けられていることを特徴とする請求項３に記載の電池パック。
【発明の詳細な説明】
【技術分野】
【０００１】
本発明は、電動工具に装着される電池パックに関する。
【背景技術】
【０００２】
従来から、電動工具に装着されて駆動電源を供給する電池パックが知られている。このような電池パックは、電動工具に装着するための装着部を備えており、この装着部によって電動工具に対して着脱自在に装着される。電池パックの装着形態としては、例えば、下記特許文献１のように、電動工具に対してスライド装着される形態や差込装着される形態がある。また、このような電池パックが装着される電動工具としては、例えば、インパクトドライバと称されるものがある。インパクトドライバは、主としてネジ締め作業に用いられるものである（下記特許文献２参照）。
【０００３】
インパクトドライバを使用して木材に木ネジをねじ込む作業においては、木ネジが長すぎると木材の裏面から先端が突出してしまい修正が必要となる場合がある。短い木ネジを使用すれば突出することはないが、木ネジによる固定力が弱くなり、強度不足となる場合がある。このため、作業者は適切な長さの木ネジを選定する必要がある。木ネジの選定においてその長さを測定する場合には、一般的に物差し（スケール）が用いられている。
【先行技術文献】
【特許文献】
【０００４】
【特許文献１】特開２０１５−１９１７３５号公報
【特許文献２】特開２０１５−１６０３０２号公報
【発明の概要】
【発明が解決しようとする課題】
【０００５】
ところが、ねじ締め作業において木ネジの長さを測定するために物差し（スケール）を用いる場合は、作業者は物差し（スケール）を手元に取り出して測定を行うことになるため、作業中断時間が長くなり、作業効率が低下してしまう。
【０００６】
本発明は、上述した課題の存在に鑑みてなされたものであって、その目的は、長さ測定による作業効率の低下を抑制することができる電池パックを提供することである。
【課題を解決するための手段】
【０００７】
本発明に係る電池パックは、電動工具に装着される電池パックであって、電動工具への装着状態における外面に長さ測定用の目盛り表示が設けられていることを特徴とする。
【０００８】
本発明に係る電池パックにおいては、前記目盛り表示は、前記電池パックの長手方向に沿って設けることができる。
【０００９】
また、本発明に係る電池パックにおいては、前記目盛り表示は、前記外面に形成される溝に設けることができる。
【００１０】
さらに、本発明に係る電池パックにおいては、前記溝に前記目盛り表示の測定基準となる当接面を設けることができる。
【発明の効果】
【００１１】
本発明によれば、長さ測定による作業効率の低下を抑制することができる電池パックを提供することができる。
【図面の簡単な説明】
【００１２】
【図１】本発明の実施形態に係る電池パックを装着した電動工具の外観左側面図である。
【図２】本発明の実施形態に係る電池パックの左側面図である。
【図３】本発明の実施形態に係る電池パックの平面図である。
【図４】本発明の実施形態に係る電池パックの正面図である。
【図５】本発明の実施形態に係る電池パックの底面図である。
【図６】本発明の実施形態に係る電池パックを底面側から見た斜視図である。
【図７】図４の要部拡大図である。
【図８】本発明の実施形態に係る電池パックの底面図であって、木ネジの長さ測定を説明する図である。
【発明を実施するための形態】
【００１３】
以下、本発明を実施するための好適な実施形態について、図１〜図８を用いて説明する。なお、以下の実施形態は、各請求項に係る発明を限定するものではなく、また、実施形態の中で説明されている特徴の組み合わせの全てが発明の解決手段に必須であるとは限らない。なお、本明細書では、図中に示すように「前、後、左、右、上、下」を規定して説明する。
【００１４】
本実施形態に係る電池パック１は、電動工具に装着して使用することができるものであって、例えば、図１に示すように電動工具であるインパクトドライバ２に装着して使用される。本実施形態に係る電池パック１は、スライド装着される形態のものであって、前後方向のスライド移動によって装着される。
【００１５】
電池パック１は、図２〜６に示すように、略直方体形状の外観を呈しており、その上部にはインパクトドライバ２に装着するための装着部１０が設けられている。装着部１０は、前後方向に延びる左右一対のレール１１と、上方へ付勢されて上面から突出する係止爪１２と、係止爪１２を没入させるための左右一対に操作部１３とを備えている。電池パック１をインパクトドライバ２に装着する場合は、インパクトドライバ２の下部に左右一対のレール１１を係合させて前方位置から後方へスライド移動させる。スライド移動に伴い係止爪１２が押圧されて没入し、スライド移動完了位置に到達すると係止爪１２が付勢によって上面から突出してインパクトドライバ２の被係止部に係止することで電池パック１がスライド装着される。装着された電池パック１と取り外す場合は、一方の手で左右一対の操作部１３を両側から把持して内方へ押し込み係止爪１２を没入させる。そして、電池パック１を前方に移動させることで取り外すことができる。なお、操作部１３の前縁には、電池パック１を前方に移動させる際に、操作部１３を把持する手が外れないようにするための凸部１４が上下に亘って形成されている。
【００１６】
図５に示すように、電池パック１の底面１５は前後方向を長手方向とする略長方形状を呈しており、底面１５には長さを測定するための目盛り表示２０，３０が設けられている。目盛り表示２０と目盛り表示３０とは、底面１５の長手方向（前後方向）に沿って互いに所定量離間して平行に設けられている。左方に位置する目盛り表示２０は、ｍｍ（ミリメートル）単位の表示であって、底面１５の前端側に位置する０ｍｍから後端側に位置する１００まで１０ｍｍ間隔で設けられる数値表示２１と、各数値表示２１の位置に設けられる左右方向に所定の長さを有する目盛り線２２とを備えている。右方に位置する目盛り表示３０は、ｉｎｃｈ（インチ）単位の表示であって、底面１５の前端側に位置する０ｉｎｃｈから後端側に位置する４．５まで０．５ｉｎｃｈ間隔で設けられる数値表示３１と、各数値表示３１の位置に設けられる左右方向に所定の長さを有する目盛り線３２とを備えている。
【００１７】
電池パック１の底面１５には長手方向（前後方向）に延びる溝４０が２本形成されており、それぞれの溝４０の内面４１に目盛り表示２０，３０が設けられている。溝４０は、図４及び図７によく示されるように、前方から見て円弧状に凹んだ形状であり、底面１５の前端から後端まで連続して形成されている。目盛り表示２０，３０（数値表示２１，３１と目盛り線２２，３２）は、底面１５から下方に突出しない範囲で、溝４０の内面４１に突設されている。なお、溝４０は、電池パック１の剛性を高めるための補強としての機能も備えている。
【００１８】
次に、一例として、本実施形態に係る電池パック１を使用して頭部が丸頭の木ネジ５０の長さを測定する場合を、図８を参照図に加えて説明する。なお、図８は、ｍｍ（ミリメートル）単位で木ネジ５０の長さを測定する場合であって、さらに、木ネジ５０の頭部を基準として測定する場合を示している。また、図８では電池パック１が装着された電動工具の図示を省略している。
【００１９】
本実施形態に係る電池パック１を使用して木ネジ５０の長さを測定する場合は、測定対象となる木ネジ５０を目盛り表示２０に沿わせることで、ｍｍ（ミリメートル）単位で長さを測定することができる。したがって、物差し（スケール）を手元に取り出す必要がないので、ねじ締め等の作業中であっても、作業中断時間を最小限に留めることができる。したがって、長さ測定による作業効率の低下を抑制することができる。
【００２０】
本実施形態に係る電池パック１を使用して木ネジ５０の長さを測定する場合の具体的な手順は、木ネジ５０の頭部を測定基準となる数値表示２１の０ｍｍの位置に設けられた目盛り線２２に合わせて、その先端が示す値を数値表示２１から読み取ることになる。図８に例示される木ネジ５０では、その長さを７０ｍｍと読み取ることができる。木ネジ５０の頭部をこの目盛り線２２に合わせる際には、目盛り線２２が溝４０の内面４１に突設されているので、目盛り線２２の前後方向端の存在する端面のいずれかに木ネジ５０の頭部を当接させることができる。すなわち、目盛り線２２の前後方向端の存在する端面は、測定対象物を測定基準に位置決めするための当接面としての機能も有する。したがって、長さ測定作業において、測定対象物が目盛り線２２の前後方向端の存在する端面のいずれかに当接させることができる形状であれば、測定基準位置への測定対象物の位置決めが容易となる。なお、本実施形態においては、目盛り線２２の前後方向端に存在する端面が当接面としての機能を有する構成であったが、目盛り線２２とは別個に当接面を溝４０に設けることもできる。
【００２１】
また、木ネジ５０を目盛り表示２０に沿わせた状態では、溝４０の作用によって木ネジ５０の位置が安定することになる。したがって、測定作業が容易になる。
【００２２】
また、目盛り表示２０（数値表示２１と目盛り線２２）は、底面１５から下方に突出しない範囲で、溝４０の内面４１から下方に突設されているので、接触による目盛り表示２０の摩滅を効果的に防止することができる。
【００２３】
また、目盛り表示２０は、電池パック１の長手方向に沿って設けられているので、短手方向に沿って設けられている場合と比較して、より長い木ネジ５０を測定することができるので便利である。
【００２４】
なお、上述の説明は、ｍｍ（ミリメートル）単位で木ネジ５０の長さを測定する場合のものであったが、ｉｎｃｈ（インチ）単位で木ネジ５０の長さを測定する場合は、目盛り表示３０を使用することになる。この場合も上述の説明中に記載される効果と同様の効果を奏することができる。
【００２５】
なお、上述の説明は、木ネジ５０の頭部を基準として木ネジ５０の長さを測定する場合のものであったが、木ネジ５０の先端を測定基準として測定することも可能である。この場合は、木ネジ５０の先端を数値表示２１の０ｍｍの位置に設けられた目盛り線２２に合わせて、その頭部が示す値を数値表示２１から読み取ることになる。
【００２６】
以上、本発明の好適な実施形態について説明したが、本発明の技術的範囲は上記実施形態に記載の範囲に限定さない。上記実施形態には、多様な変更又は改良を加えることが可能である。
【００２７】
たとえば、上述の実施形態においては、目盛り表示２０，３０及び溝４０は電池パック１の底面１５に設けられていたが、これに限定されない。装着部１０が設けられた上面以外の外面であれば、いずれの外面にも設けることができる。すなわち、電動工具への装着状態における外面に設けることができる。
【００２８】
また、たとえば、上述の実施形態においては、目盛り表示２０，３０及び溝４０は電池パック１の長手方向に沿って設けられていたが、これに限定されない。例えば、短手方向に沿って設けることもできる。
【００２９】
また、たとえば、上述の実施形態においては、目盛り表示２０，３０は溝４０の内面４１に突設されていたが、凹設することもできる。また、底面１５に直接凹設することもできる。
【００３０】
また、たとえば、上述の実施形態においては、目盛り表示２０，３０は、ｍｍ（ミリメートル）単位、あるいはｉｎｃｈ（インチ）単位であったが、これに限定されない。例えば、寸単位とすることもできる。
【００３１】
なお、上述の実施形態では、木ネジを測定対象物として説明したが、測定対象物は木ネジに限定されるものではない。
【符号の説明】
【００３２】
１        ：電池パック
２        ：インパクトドライバ
１０      ：装着部
１１      ：レール
１２      ：係止爪
１３      ：操作部
１４      ：凸部
１５      ：底面
２０      ：目盛り表示
２１      ：数値表示
２２      ：目盛り線
３０      ：目盛り表示
３１      ：数値表示
３２      ：目盛り線
４０      ：溝
４１      ：内面
５０      ：木ネジ
【図１】
2017147028.tif 000003
【図２】
2017147028.tif 000004
【図３】
2017147028.tif 000005
【図４】
2017147028.tif 000006
【図５】
2017147028.tif 000007
【図６】
2017147028.tif 000008
【図７】
2017147028.tif 000009
【図８】
2017147028.tif 000010